(57)【特許請求の範囲】
【請求項１】
ユーザ機器（ＵＥ）におけるワイヤレス通信の方法であって、
サービング基地局と少なくとも１つの隣接基地局とから情報を受信することと、前記情報が、直接発見を実行するための、前記サービング基地局と前記少なくとも１つの隣接基地局との各々によって割り振られた発見リソースの時間割振りを示し、ここにおいて、前記サービング基地局に対応する前記発見リソースが前記少なくとも１つの隣接基地局に対応する前記発見リソースと時間隣接し、重複せず、前記少なくとも１つの隣接基地局に対応する前記発見リソースの１つのサブフレーム内にあり、前記サービング基地局に対応する前記発見リソースは、別の隣接基地局によって再使用される、
サブフレームタイミングを決定することと、
前記決定されたサブフレームタイミングに基づいて前記直接発見を実行することと
を備え、
ここにおいて、前記直接発見を実行することが、前記割り振られた発見リソースの各々の前記時間割振りに従って連続様式で前記割り振られた発見リソースの各々を使用して前記直接発見を実行するために１回起動することを備え、
ここにおいて、前記決定されたサブフレームタイミングまたは前記実行された直接発見のうちの少なくとも１つが前記受信された情報に基づく、
ことによって特徴付けられる、方法。
【請求項２】
前記サブフレームタイミングを前記決定することが、前記サービング基地局と前記少なくとも１つの隣接基地局とのサブフレームタイミングを決定することを備え、
前記直接発見を前記実行することが、前記発見リソースに対応する前記サービング基地局または隣接基地局の決定されたサブフレームタイミングに基づいて、前記サービング基地局と前記少なくとも１つの隣接基地局との各々によって割り振られた前記発見リソースの前記時間割振りを使用して前記直接発見を実行することを備える、請求項１に記載の方法。
【請求項３】
前記サブフレームタイミングは、
前記少なくとも１つの隣接基地局によってブロードキャストされたダウンリンク同期信号、または
直接発見を実行する少なくとも１つの他のＵＥからの送信、前記少なくとも１つの他のＵＥが前記少なくとも１つの隣接基地局によってサービスされる、のうちの少なくとも１つに基づいて決定される、請求項２に記載の方法。
【請求項４】
前記サブフレームタイミングを前記決定することが、前記受信された情報によって示された前記発見リソースの前記時間割振りを、直接発見を実行する少なくとも１つの他のＵＥの発見リソースの時間割振りと同期させることによってコンセンサス発見タイミングを決定することを備え、
前記直接発見を前記実行することが、前記コンセンサス発見タイミングに基づいて前記直接発見を実行することを備える、請求項１に記載の方法。
【請求項５】
ワイドエリアネットワーク（ＷＡＮ）リソースから前記発見リソースに遷移するとき、ＷＡＮ動作を実行するためのタイミングから前記コンセンサス発見タイミングに遷移することをさらに備える、請求項４に記載の方法。
【請求項６】
ユーザ機器（ＵＥ）におけるワイヤレス通信の方法であって、
サービング基地局と少なくとも１つの隣接基地局とから情報を受信することと、前記情報が、直接発見を実行するための、前記サービング基地局と前記少なくとも１つの隣接基地局との各々によって割り振られた発見リソースの時間割振りを示し、ここにおいて、前記サービング基地局に対応する前記発見リソースが、
少なくとも１つの隣接基地局に対応する発見リソースと一致し、
前記少なくとも１つの隣接基地局に対応する前記発見リソースの１つのサブフレーム内にあり、
ここにおいて、ブランクサブフレームが前記発見リソースの前記時間割振りに先行および後続し、
サブフレームタイミングを決定することと、
前記決定されたサブフレームタイミングに基づいて前記直接発見を実行することと
を備え、
ここにおいて、前記サブフレームタイミングを前記決定することが、前記受信された情報によって示された前記発見リソースの前記時間割振りを、直接発見を実行する少なくとも１つの他のＵＥの発見リソースの時間割振りと同期させることによってコンセンサス発見タイミングを決定することを備え、前記直接発見を前記実行することが、前記サービング基地局と前記少なくとも１つの隣接基地局とに対応する前記発見リソースを使用して前記直接発見を実行するために、前記コンセンサス発見タイミングに従って１回起動することを備える
ことによって特徴付けられる、方法。
【請求項７】
前記サービング基地局に対応する前記発見リソースの前記時間割振りと、隣接基地局に対応する前記発見リソースの前記時間割振りとの間のタイミングドリフトを検出することと、
前記サービング基地局に前記タイミングドリフトを報告することと
をさらに備える、請求項２または４のいずれか一項に記載の方法。
【請求項８】
前記少なくとも１つの隣接基地局のサブフレームタイミングを決定するとき、前記少なくとも１つの隣接基地局のダウンリンク周波数スペクトルに同調することと、
前記少なくとも１つの隣接基地局によってサービスされる少なくとも１つのＵＥのための前記直接発見を実行するとき、前記少なくとも１つの隣接基地局のアップリンク周波数スペクトルに同調することと
をさらに備える、請求項２または４のいずれか一項に記載の方法。
【請求項９】
基地局におけるワイヤレス通信の方法であって、
直接発見を実行するための発見リソースの時間割振りを予約することと、ここにおいて、前記基地局に対応する前記発見リソースが前記少なくとも１つの隣接基地局に対応する前記発見リソースと時間隣接し、重複せず、少なくとも１つの隣接基地局に対応する前記発見リソースの１つのサブフレーム内にあり、前記基地局に対応する前記発見リソースが、別の隣接基地局によって再使用される、
前記発見リソースの前記時間割振りを示す情報を、前記基地局によってサービスされる少なくとも１つのユーザ機器（ＵＥ）に送ることと、
を備え、
ここにおいて、前記情報が、直接発見を実行するための、前記少なくとも１つの隣接基地局によって割り振られた発見リソースの前記時間割振りをさらに示す、
ことによって特徴付けられる、方法。
【請求項１０】
前記少なくとも１つの隣接基地局によって割り振られた前記発見リソースと重複するリソース中でワイドエリアネットワーク（ＷＡＮ）動作を実行するＵＥをスケジュールすることを控えることをさらに備える、請求項９に記載の方法。
【請求項１１】
ＵＥが前記基地局に極めて近接しているとき、前記少なくとも１つの隣接基地局によって割り振られた前記発見リソースと重複するリソース中でワイドエリアネットワーク（ＷＡＮ）動作を実行する前記ＵＥをスケジュールすることと、
直接発見を実行するＵＥからの干渉を補償するのに十分な電力で送信するために、前記スケジュールされたＵＥを電力制御することと
をさらに備える、請求項９に記載の方法。
【請求項１２】
前記情報が、前記基地局のパブリックランドモバイルネットワーク（ＰＬＭＮ）とは異なるＰＬＭＮに属する前記少なくとも１つの隣接基地局によって使用される周波数スペクトルをさらに示す、請求項９に記載の方法。
【請求項１３】
ユーザ機器（ＵＥ）におけるワイヤレス通信のための装置であって、
サービング基地局と少なくとも１つの隣接基地局とから情報を受信するための手段と、前記情報が、直接発見を実行するための、前記サービング基地局と前記少なくとも１つの隣接基地局との各々によって割り振られた発見リソースの時間割振りを示し、ここにおいて、前記サービング基地局に対応する前記発見リソースが前記少なくとも１つの隣接基地局に対応する前記発見リソースと時間隣接し、重複せず、前記少なくとも１つの隣接基地局に対応する前記発見リソースの１つのサブフレーム内にあり、前記サービング基地局に対応する前記発見リソースは、別の隣接基地局によって再使用される、
サブフレームタイミングを決定するための手段と、
前記決定されたサブフレームタイミングに基づいて前記直接発見を実行するための手段と
を備え、
ここにおいて、前記直接発見を実行することが、前記割り振られた発見リソースの各々の前記時間割振りに従って連続様式で前記割り振られた発見リソースの各々を使用して前記直接発見を実行するために１回起動することを備え、
ここにおいて、前記決定されたサブフレームタイミングまたは前記実行された直接発見のうちの少なくとも１つが前記受信された情報に基づく、
ことによって特徴付けられる、装置。
【請求項１４】
前記サブフレームタイミングを決定するための前記手段が、前記サービング基地局と前記少なくとも１つの隣接基地局とのサブフレームタイミングを決定するように構成され、
前記直接発見を実行するための前記手段が、前記発見リソースに対応する前記サービング基地局または隣接基地局の決定されたサブフレームタイミングに基づいて、前記サービング基地局と前記少なくとも１つの隣接基地局との各々によって割り振られた前記発見リソースの前記時間割振りを使用して前記直接発見を実行するように構成された、請求項１３に記載の装置。
【請求項１５】
基地局におけるワイヤレス通信のための装置であって、
直接発見を実行するための発見リソースの時間割振りを予約するための手段と、ここにおいて、前記基地局に対応する前記発見リソースが前記少なくとも１つの隣接基地局に対応する前記発見リソースと時間隣接し、重複せず、少なくとも１つの隣接基地局に対応する前記発見リソースの１つのサブフレーム内にあり、サービング基地局に対応する前記発見リソースが別の隣接基地局によって再使用される、
前記発見リソースの前記時間割振りを示す情報を、前記基地局によってサービスされる少なくとも１つのユーザ機器（ＵＥ）に送るための手段と
を備え、
ここにおいて、前記情報が、直接発見を実行するための、前記少なくとも１つの隣接基地局によって割り振られた発見リソースの前記時間割振りをさらに示す、
ことによって特徴付けられる、装置。
【発明の詳細な説明】
【技術分野】
【０００１】
関連出願の相互参照
[0001]本出願は、その全体が参照により本明細書に明確に組み込まれる、２０１３年７月２９日に出願された「METHODS FOR DIRECT DISCOVERY IN ASYNCHRONOUS NETWORK DEPLOYMENTS」と題する米国仮出願第６１／８５９，５７９号、および２０１４年５月１９日に出願された「METHODS FOR DIRECT DISCOVERY IN ASYNCHRONOUS NETWORK DEPLOYMENTS」と題する米国非仮出願第１４／２８１，８０５号の利益を主張する。
【０００２】
[0002]本開示は、一般に通信システムに関し、より詳細には、ｅノードＢが互いに同期しない非同期周波数分割複信（ＦＤＤ：frequency division duplex）ネットワーク展開においてユーザ機器（ＵＥ：user equipment）の間の直接発見を可能にすることに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、サービング基地局と少なくとも１つの隣接基地局とから情報を受信することと、情報が、直接発見を実行するための、サービング基地局と少なくとも１つの隣接基地局との各々によって割り振られた発見リソースの時間割振りを示す、サービング基地局と少なくとも１つの隣接基地局とのサブフレームタイミングを決定することと、発見リソースに対応するサービング基地局または隣接基地局の決定されたサブフレームタイミングに基づいて、サービング基地局と少なくとも１つの隣接基地局との各々によって割り振られた発見リソースの時間割振りを使用して直接発見を実行することとを行う。
【０００６】
[0006]本開示の別の態様では、本装置は、直接発見を実行するための発見リソースの時間割振りを予約することと、発見リソースの時間割振りを示す情報を、基地局によってサービスされる少なくとも１つのユーザ機器（ＵＥ）に送ることとを行い、ここにおいて、情報は、直接発見を実行するための、少なくとも１つの隣接基地局によって割り振られた発見リソースの時間割振りをさらに示す。
【０００７】
[0007]本開示のさらなる態様では、本装置は、サービング基地局と少なくとも１つの隣接基地局とから情報を受信することと、情報が、直接発見を実行するための、サービング基地局と少なくとも１つの隣接基地局との各々によって割り振られた発見リソースの時間割振りを示す、受信された情報によって示された発見リソースの時間割振りを、直接発見を実行する少なくとも１つの他のＵＥの発見リソースの時間割振りと同期させることによってコンセンサス発見タイミング（consensus discovery timing）を決定することと、コンセンサス発見タイミングに基づいて直接発見を実行することとを行う。
【０００８】
[0008]本開示のまた別の態様では、本装置は、直接発見を実行するための発見リソースの時間割振りを予約することと、発見リソースの時間割振りを示す情報を、基地局によってサービスされる少なくとも１つのユーザ機器（ＵＥ）に送ることとを行い、ここにおいて、基地局に対応する発見リソースは、少なくとも１つの隣接基地局に対応する発見リソースと一致し、少なくとも１つの隣接基地局に対応する発見リソースの１つのサブフレーム内にあり、ここにおいて、ブランクサブフレームは、発見リソースの時間割振りに先行および後続する。
【図面の簡単な説明】
【０００９】
【図１】[0009]ネットワークアーキテクチャの一例を示す図。
【図２】[0010]アクセスネットワークの一例を示す図。
【図３】[0011]ＬＴＥにおけるＤＬフレーム構造の一例を示す図。
【図４】[0012]ＬＴＥにおけるＵＬフレーム構造の一例を示す図。
【図５】[0013]ユーザプレーンおよび制御プレーンのための無線プロトコルアーキテクチャの一例を示す図。
【図６】[0014]アクセスネットワーク中の発展型ノードＢおよびユーザ機器の一例を示す図。
【図７】[0015]デバイス間通信システムの図。
【図８】[0016]非同期ネットワーク展開における直接発見に関係する課題を示す図。
【図９】[0017]一実施形態による、ｅノードＢにわたる発見サブフレームの例示的な割振りを示す図。
【図１０】[0018]一実施形態による、ｅノードＢにわたる発見サブフレームの例示的な割振りを示す図。
【図１１】[0019]ワイヤレス通信の方法のフローチャート。
【図１２】[0020]ワイヤレス通信の方法のフローチャート。
【図１３】[0021]ワイヤレス通信の方法のフローチャート。
【図１４】[0022]例示的な装置における異なるモジュール／手段／構成要素間のデータフローを示す概念データフロー図。
【図１５】[0023]例示的な装置における異なるモジュール／手段／構成要素間のデータフローを示す概念データフロー図。
【図１６】[0024]処理システムを採用する装置のためのハードウェア実装形態の例を示す図。
【図１７】[0025]処理システムを採用する装置のためのハードウェア実装形態の例を示す図。
【発明を実施するための形態】
【００１０】
[0026]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１１】
[0027]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課された設計制約に依存する。
【００１２】
[0028]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
[0029]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含めるべきである。
【００１４】
[0030]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１５】
[0031]Ｅ−ＵＴＲＡＮは発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１６】
[0032]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１７】
[0033]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用され得る。
【００１８】
[0034]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communication）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１９】
[0035]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２０】
[0036]空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２１】
[0037]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２２】
[0038]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２３】
[0039]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２４】
[0040]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２５】
[0041]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２６】
[0042]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２７】
[0043]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２８】
[0044]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２９】
[0045]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００３０】
[0046]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３１】
[0047]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコードされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００３２】
[0048]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３３】
[0049]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３４】
[0050]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３５】
[0051]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３６】
[0052]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３７】
[0053]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３８】
[0054]図７はデバイス間通信システム７００の図である。デバイス間通信システム７００は複数のワイヤレスデバイス７０４、７０６、７０８、７１０を含む。デバイス間通信システム７００は、たとえば、ワイヤレスワイドエリアネットワーク（ＷＷＡＮ：wireless wide area network）などのセルラー通信システムと重なり得る。ワイヤレスデバイス７０４、７０６、７０８、７１０の一部は、ＤＬ／ＵＬ  ＷＷＡＮスペクトルを使用してデバイス間通信において互いに通信し、一部は基地局７０２と通信し、一部は両方を行い得る。たとえば、図７に示すように、ワイヤレスデバイス７０４、７０６はデバイス間通信中であり、ワイヤレスデバイス７０８、７１０はデバイス間通信中である。ワイヤレスデバイス７０４、７０６は基地局７０２とも通信している。
【００３９】
[0055]以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイス間通信システムなど、様々なワイヤレスデバイス間通信システムのいずれにも適用可能である。説明を簡略化するために、例示的な方法および装置についてＬＴＥのコンテキスト内で説明する。ただし、例示的な方法および装置は、様々な他のワイヤレスデバイス間通信システムにより一般的に適用可能であることを当業者は理解されよう。
【００４０】
[0056]本開示の一態様では、ｅノードＢが互いと同期されない非同期周波数分割複信（ＦＤＤ）ネットワーク展開において、ＵＥが直接発見を実行することを可能にするための方法および装置が提供される。ここで、直接発見は、ｅノードＢシグナリングがない直接ピアツーピア（またはデバイス間）シグナリングを伴う発見プロシージャを指す。本開示の方法および装置は、イントラパブリックランドモバイルネットワーク（ＰＬＭＮ：public land mobile network）発見使用事例とインターＰＬＭＮ発見使用事例の両方に適用可能である。
【００４１】
[0057]直接発見設計は、以前に時分割複信（ＴＤＤ）とＦＤＤの両方のための同期ネットワーク展開を仮定した。しかしながら、現在、非同期ＦＤＤネットワーク展開における直接発見がサポートされ得る。本開示は、既存の直接発見プロシージャの再利用を可能にするための方法を提供する。
【００４２】
[0058]非同期展開の課題を例示するために、ｅノードＢが、周期的に繰り返すアップリンクスペクトル上に発見のための一部分のサブフレーム（たとえば、１０秒ごとに繰り返す６４個のサブフレーム）を割り振るＦＤＤネットワークについて考える。また、同じＰＬＭＮに属する隣接ｅノードＢによってサービスされる２つのＵＥの間の発見について考える。その場合、非同期展開が以下の課題を提示する。
【００４３】
[0059]図８は、非同期ネットワーク展開における直接発見に関係する課題を示す図８００である。図８は、２つのｅノードＢ（ｅノードＢ−１およびｅノードＢ−２）を用いた例を示している。第１の課題（１）は、時間的に整合されない発見サブフレームに関係する。発見サブフレームが整合されないので、発見を実行するＲＲＣ＿ＩＤＬＥモードのＵＥは、発見信号をリッスンするために２回起動しなければならない。これは、発見が周期的プロシージャであるので、ＵＥにおける電力消費を増加させる。
【００４４】
[0060]第２の課題（２）は、整合されないｅノードＢ−１とｅノードＢ−２とのサブフレームタイミングに関係する。その上、サブフレームタイミングは、時間とともに互いにドリフトし得る。図８を参照すると、ｅノードＢ−１とｅノードＢ−２とが同期されないので、ｅノードＢ−１とｅノードＢ−２とのそれぞれのサブフレームタイミングは互いと不整合される。時間的に、それぞれのサブフレームタイミングは互いに離れてさらにドリフトし得る。不整合は、図８では破線垂直線として示されている。ＵＥ（たとえば、ＵＥ−１）が、隣接ｅノードＢ（たとえば、ｅノードＢ−２）によってサービスされるピアＵＥ（たとえば、ＵＥ−２）から発見信号を受信するために、ＵＥ（ＵＥ−１）は隣接ｅノードＢ（ｅノードＢ−２）のタイミングを検出（および追跡）し得る。
【００４５】
[0061]第３の課題（３）は、発見サブフレームの不整合による干渉問題に関係する。図８を参照すると、発見サブフレームの不整合は、（少なくともイントラＰＬＭＮの場合では）２つの大きい干渉問題につながる。第１に、図８中の（３ａ）を参照すると、発見送信が電力制御されないので、発見を実行するＵＥ（「発見ＵＥ」）は隣接ｅノードＢに大きい干渉を課する。これは隣接ｅノードＢにおけるアップリンクワイドエリアネットワーク（ＷＡＮ：wide area network）性能の劣化を生じる。第２に、図８中の（３ｂ）を参照すると、（発見ＵＥの）発見送信は、ＷＡＮ送信を実行する隣接ｅノードＢのＵＥ（「ＷＡＮ  ＵＥ」）から干渉を受ける。これは発見ＵＥにおける発見性能の劣化を生じる。
【００４６】
[0062]図９は、一実施形態による、ｅノードＢにわたる発見サブフレームの例示的な割振りを示す図９００である。図９を参照すると、隣接ｅノードＢの発見リソースは互いに時間隣接し、重複しない。ここで、「隣接ｅノードＢ」が別のｅノードＢに直接隣接することは必要でない。たとえば、図９に示されているように、ｅノードＢ−１とｅノードＢ−４とが互いに直接隣接しないにもかかわらず、ｅノードＢ−１はｅノードＢ−４にとってネイバーと考えられ、その逆も同様である。ＵＥは１回起動し、サービングｅノードＢの発見期間と隣接ｅノードＢの発見期間とを循環（たとえば、連続様式でリッスン）し得る。ＵＥは、ＷＡＮタイミングを使用して発見信号を送信する。したがって、ＵＥは、サービングｅノードＢとともにすべての隣接ｅノードＢのタイミングを追跡し得る。
【００４７】
[0063]第１の課題（１）を克服するために、ｅノードＢは、時間隣接し、重複せず、１つのサブフレーム内にある、隣接ｅノードＢの発見リソースの発見リソースを予約し得る。たとえば、図９に示されているように、発見リソースの時間割振りは、ｅノードＢ−４がｅノードＢ−１に前に割り振られた発見リソースを再利用する展開にわたる再使用パターンに後続し得る。ｅノードＢは、ｅノードＢがサービスするすべてのＵＥに、発見リソースのｅノードＢ自体の時間割振りならびに隣接ｅノードＢの時間割振りを（システム情報ブロック（ＳＩＢ：system information block）の一部として）ブロードキャストし得る。
【００４８】
[0064]第２の課題（２）を克服するために、ＵＥは、ＵＥのサービングｅノードＢに加えて、すべての隣接ｅノードＢのタイミングを検出し、追跡し得る。ＵＥは、検出されたタイミングを発見リソースに対応するｅノードＢと整合させることによって、サービングｅノードＢと（タイミングが前に検出された）隣接ｅノードＢとについて発見リソース上でリッスンし得る。ＵＥは、割振りの時間パターンに従って発見リソースを循環し得る。ＵＥはまた、追跡されている複数のタイミング仮説を循環し得る。たとえば、図９を参照すると、ＵＥは、ｅノードＢ−１の発見リソース上でリッスンし、その後、ｅノードＢ−１の発見リソースと同様の（または同じ）時間割振りを有するｅノードＢ−４の発見リソース上でリッスンし得る。
【００４９】
[0065]ｅノードＢは、時間とともにタイミングドリフトを補償するように発見サブフレーム割振りを調整し得る。これは、発見リソースが重複しないままであり、隣接ｅノードＢの発見リソースの１つのサブフレーム内に残っていることを保証する。タイミングドリフトは、以下のうちの１つまたは複数に従って検出され得る。１）（たとえば、時間精度プロトコルを使用して）ネットワークバックホール上でｅノードＢ間シグナリングを介して検出され、２）隣接ｅノードＢによって送信されたオーバージエアタイミング同期信号を介してｅノードＢによって検出され、および３）ＵＥによって検出され、ＵＥはサービングｅノードＢにタイミングドリフト報告を送り、ここにおいて、サービングｅノードＢは、ＵＥからの報告をコンソリデートすることによってタイミングドリフトを推定する。
【００５０】
[0066]第３の課題（３）を克服するために、一態様では、ｅノードＢは、隣接ｅノードＢの発見リソース（たとえば、発見サブフレーム）と重複／衝突するリソース（たとえば、サブフレーム）中でＷＡＮ送信を実行するＵＥ（ＷＡＮ  ＵＥ）をスケジュールすることを控え得る。別の態様では、ｅノードＢは、ＷＡＮ  ＵＥがｅノードＢに極めて近接している場合、隣接ｅノードＢの発見リソースと重複／衝突するリソース中でＷＡＮ  ＵＥをスケジュールし得る。さらに、ｅノードＢは、直接発見を実行する隣接ＵＥからの干渉を補償するのに十分な電力で送信するために、スケジュールされたＷＡＮ  ＵＥを電力制御し得る。
【００５１】
[0067]図１０は、一実施形態による、ｅノードＢにわたる発見サブフレームの例示的な割振りを示す図１０００である。図１０を参照すると、すべての隣接ｅノードＢの発見リソースは、互いにほぼ一致し、互いの１つのサブフレーム内にある。ｅノードＢは、発見期間の前と後の両方に１つのブランクサブフレームを割り振り得る。発見プロシージャは、次いで、ＵＥがネットワーク外カバレージを経験するかのようになり得る。特に、発見送信は、ｅノードＢタイミングに従って実行されない。そうではなく、発見送信は、発見を実行する（ｅノードＢにわたる）ネットワーク中のＵＥの間のコンセンサスタイミングに基づいて実行される。ＵＥは、発見期間中にｅノードＢタイミングからコンセンサス発見サブフレームタイミングに調整し得る。タイミング調整は、発見期間の前および後に割り振られるブランクサブフレームによって可能にされる。
【００５２】
[0068]第１の課題（１）と第３の課題（３）とを克服するために、ｅノードＢは、隣接ｅノードＢの発見リソースとほぼ一致するように発見リソースを予約し得る。ｅノードＢは、予約済み発見リソースが隣接ｅノードＢの発見リソースの１つのサブフレーム内にあることをさらに保証し得る。また、ｅノードＢは、ブランクサブフレームとして発見リソース（発見サブフレーム）の前および後に１つのサブフレームを予約し得、ここにおいて、ブランクサブフレームは、ＷＡＮ動作または発見動作が行われないサブフレームである。
【００５３】
[0069]第２の課題（２）を克服するために、発見に参加するＵＥは、他のピアＵＥとのピアツーピアタイミング同期を実行することによって、ＵＥの発見サブフレームを他のピアＵＥの発見サブフレームと時間整合し得る。時間整合発見サブフレームはコンセンサス発見タイミングと呼ばれることがある。ＵＥは、それぞれのＷＡＮリソースから発見リソースに遷移するとき、それぞれのＷＡＮタイミングからコンセンサス発見タイミングに調整し得る。ＵＥは、発見タイミングを使用して発見信号を送信および受信し得る。
【００５４】
[0070]図１０のｅノードＢは、時間とともにタイミングドリフトを補償するように発見サブフレーム割振りを調整し得る。これは、すべての隣接ｅノードＢの発見リソースが互いにほぼ一致し、互いの１つのサブフレーム内にあることを保証する。タイミングドリフトは、以下のうちの１つまたは複数に従って検出され得る。１）（たとえば、時間精度プロトコルを使用して）ネットワークバックホール上のｅノードＢ間シグナリング、２）隣接ｅノードＢによって送信されたオーバージエアタイミング同期信号を介してｅノードＢによって検出され、および３）ＵＥによって検出され、ＵＥはサービングｅノードＢにタイミングドリフト報告を送り、ここにおいて、サービングｅノードＢは、ＵＥからの報告をコンソリデートすることによってタイミングドリフトを推定する。
【００５５】
[0071]上記で説明した動作では、タイミングドリフトを補償するように発見サブフレーム割振りを調整することに関して、連続ｅノードＢ協調が必要とされる。一態様では、本開示はまた、連続ｅノードＢ協調を必要としない動作を提供する。ここで、ｅノードＢは、発見サブフレームを自由に別個に割り振り得る。その上、ｅノードＢは、ｅノードＢがサービスするすべてのＵＥに、発見リソースのｅノードＢ自体の時間割振りならびに隣接ｅノードＢの時間割振りを（たとえば、システム情報ブロック（ＳＩＢ）の一部として）ブロードキャストし得る。
【００５６】
[0072]第２の課題（２）を克服するために、ＵＥは、ＵＥのサービングｅノードＢに加えてすべての隣接ｅノードＢの発見リソース／サブフレーム（タイミング）を追跡し得る。一態様では、タイミングは、隣接ｅノードＢによってブロードキャストされたダウンリンク同期信号から導出される。別の態様では、タイミングは、隣接ｅノードＢに属するＵＥからの発見送信から導出される。ＵＥは、発見リソースを所有するｅノードＢとタイミングを整合させることによってそれのためのタイミングが導出されたサービングｅノードＢと隣接ｅノードＢとの発見リソース上でリッスンし得る。
【００５７】
[0073]上記で説明した動作は、ｅノードＢが同じパブリックランドモバイルネットワーク（ＰＬＭＮ）に属する（イントラＰＬＭＮ発見）と仮定した。一態様では、本開示はインターＰＬＭＮ発見に拡張され得る。インターＰＬＭＮ発見の場合、アップリンクスペクトルとダウンリンクスペクトルとは異なり得、したがってＷＡＮ動作と発見動作との間の干渉が発生し得る。また、本開示では「隣接」ｅノードＢという用語が使用され得るが、ｅノードＢはインターＰＬＭＮのために共に配置（co-locate）され得る。
【００５８】
[0074]インターＰＬＭＮでは、ｅノードＢは、ｅノードＢのＰＬＭＮとは異なるＰＬＭＮに属する隣接ｅノードＢによって使用されるスペクトルを（システム情報ブロック（ＳＩＢ）の一部として）ブロードキャストし得る。ＵＥは、ｅノードＢからタイミング同期についてリッスンしながら、隣接ｅノードＢのダウンリンクスペクトルに同調し得る。その上、ＵＥは、ｅノードＢに関連するＵＥから発見送信についてリッスンしながら、隣接ｅノードＢのアップリンクスペクトルに同調し得る。
【００５９】
[0075]図１１は、ワイヤレス通信の方法のフローチャート１１００である。本方法はＵＥによって実行され得る。ステップ１１０２において、ＵＥは、サービング基地局と少なくとも１つの隣接基地局とから情報を受信する。情報は、直接発見を実行するための、サービング基地局と少なくとも１つの隣接基地局との各々によって割り振られた発見リソースの時間割振りを示し得る。基地局に対応する発見リソースは時間隣接し、重複せず、隣接基地局に対応する発見リソースの１つのサブフレーム内にあり得る。追加または代替として、基地局に対応する発見リソースの時間割振りは、隣接基地局に対応する発見リソースの時間割振りと同じであり得る。
【００６０】
[0076]ステップ１１０４において、ＵＥは、サービング基地局と少なくとも１つの隣接基地局とのサブフレームタイミングを決定する。サブフレームタイミングは、少なくとも１つの隣接基地局によってブロードキャストされたダウンリンク同期信号に基づいて決定され得る。一態様では、ＵＥは、少なくとも１つの隣接基地局のサブフレームタイミングを決定するとき、少なくとも１つの隣接基地局のダウンリンク周波数スペクトルに同調し得る。追加または代替として、サブフレームタイミングは、直接発見を実行する１つまたは複数のＵＥからの送信に基づいて決定され得、ここにおいて、１つまたは複数のＵＥは少なくとも１つの隣接基地局によってサービスされる。
【００６１】
[0077]ステップ１１０６において、ＵＥは、発見リソースに対応するサービング基地局または隣接基地局の決定されたサブフレームタイミングに基づいて、サービング基地局と少なくとも１つの隣接基地局との各々によって割り振られた発見リソースの時間割振りを使用して直接発見を実行する。一態様では、ＵＥは、少なくとも１つの隣接基地局によってサービスされる１つまたは複数のＵＥのための直接発見を実行するとき、少なくとも１つの隣接基地局のアップリンク周波数スペクトルに同調し得る。ＵＥは、割り振られた発見リソースの各々の時間割振りに従って連続様式で割り振られた発見リソースの各々を使用して直接発見を実行するために１回起動し得る。追加または代替として、ＵＥは、連続様式で同じ時間割振りを有する割り振られた発見リソースの各々を使用して直接発見を実行するために１回起動し得る。
【００６２】
[0078]ステップ１１０８において、ＵＥは、基地局に対応する発見リソースの時間割振りと、隣接基地局に対応する発見リソースの時間割振りとの間のタイミングドリフトを検出する。その後、ＵＥは、サービング基地局にタイミングドリフトを報告する。
【００６３】
[0079]図１２は、ワイヤレス通信の方法のフローチャート１２００である。本方法は基地局またはｅノードＢ（ｅＮＢ）によって実行され得る。ステップ１２０２において、基地局は、直接発見を実行する少なくとも１つのＵＥによる使用のために発見リソースの時間割振りを予約する。基地局に対応する発見リソースは時間隣接し、重複せず、隣接基地局に対応する発見リソースの１つのサブフレーム内にあり得る。代替的に、基地局に対応する発見リソースは、少なくとも１つの隣接基地局に対応する発見リソースと一致し得、少なくとも１つの隣接基地局に対応する発見リソースの１つのサブフレーム内にあり得る。ブランクサブフレームは発見リソースの時間割振りに先行および後続し得る。一態様では、基地局に対応する発見リソースの時間割振りはまた、隣接基地局に対応する発見リソースの時間割振りと同じであり得る。
【００６４】
[0080]ステップ１２０４において、基地局は、発見リソースの時間割振りを示す情報を、基地局によってサービスされる少なくとも１つのＵＥに送る。情報は、直接発見を実行するための、少なくとも１つの隣接基地局によって割り振られた発見リソースの時間割振りをさらに示し得る。情報はまた、基地局のパブリックランドモバイルネットワーク（ＰＬＭＮ）とは異なるＰＬＭＮに属する少なくとも１つの隣接基地局によって使用される周波数スペクトルをさらに示し得る。
【００６５】
[0081]一態様では、ステップ１２０６において、基地局は、基地局に対応する発見リソースの時間割振りと、隣接基地局に対応する発見リソースの時間割振りとの間のタイミングドリフトを検出する。タイミングドリフトは、ネットワークバックホールを介して隣接基地局からタイミング情報を受信すること、オーバージエア信号を介して隣接基地局から同期信号を受信すること、および／または基地局によってサービスされるＵＥからタイミングドリフト報告を受信することによって検出され得る。ステップ１２０８において、基地局は、検出されたタイミングドリフトに基づいて、基地局に対応する発見リソースの時間割振りを調整する。
【００６６】
[0082]さらなる態様では、ステップ１２１０において、基地局は、少なくとも１つの隣接基地局によって割り振られた発見リソースと重複するリソース中でワイドエリアネットワーク（ＷＡＮ）動作を実行するＵＥをスケジュールすることを控える。代替的に、ステップ１２１２において、基地局は、最初に、ＵＥが基地局に極めて近接しているかどうかを決定する。否定的結果に基づいて、基地局は、ステップ１２１０に進み、ＵＥをスケジュールすることを控え得る。
【００６７】
[0083]ステップ１２１４において、ＵＥが基地局に極めて近接しているとき、基地局は、少なくとも１つの隣接基地局によって割り振られた発見リソースと重複するリソース中でＷＡＮ動作を実行するＵＥをスケジュールする。ステップ１２１６において、基地局は、直接発見を実行するＵＥからの干渉を補償するのに十分な電力で送信するために、スケジュールされたＵＥを電力制御する。
【００６８】
[0084]図１３は、ワイヤレス通信の方法のフローチャート１３００である。本方法はＵＥによって実行され得る。ステップ１３０２において、ＵＥは、サービング基地局と少なくとも１つの隣接基地局とから情報を受信する。情報は、直接発見を実行するための、サービング基地局と少なくとも１つの隣接基地局との各々によって割り振られた発見リソースの時間割振りを示し得る。サービング基地局に対応する発見リソースは、少なくとも１つの隣接基地局に対応する発見リソースと一致し得、少なくとも１つの隣接基地局に対応する発見リソースの１つのサブフレーム内にあり得る。ブランクサブフレームは発見リソースの時間割振りに先行および後続し得る。
【００６９】
[0085]ステップ１３０４において、ＵＥは、受信された情報によって示された発見リソースの時間割振りを、直接発見を実行する少なくとも１つの他のＵＥの発見リソースの時間割振りと同期させることによってコンセンサス発見タイミングを決定する。ステップ１３０６において、ＵＥは、ＷＡＮリソースから発見リソースに遷移するとき、ＷＡＮ動作を実行するためのタイミングからコンセンサス発見タイミングに遷移する。
【００７０】
[0086]ステップ１３０８において、ＵＥは、コンセンサス発見タイミングに基づいて直接発見を実行する。ＵＥは、サービング基地局と少なくとも１つの隣接基地局とに対応する発見リソースを使用して直接発見を実行するために、コンセンサス発見タイミングに従って１回起動し得る。一態様では、ＵＥは、少なくとも１つの隣接基地局によってサービスされる少なくとも１つのＵＥのための直接発見を実行するとき、少なくとも１つの隣接基地局のアップリンク周波数スペクトルに同調し得る。さらなる態様では、ＵＥは、少なくとも１つの隣接基地局のサブフレームタイミングを決定するとき、少なくとも１つの隣接基地局のダウンリンク周波数スペクトルに同調し得る。
【００７１】
[0087]ステップ１３１０において、ＵＥは、基地局に対応する発見リソースの時間割振りと、隣接基地局に対応する発見リソースの時間割振りとの間のタイミングドリフトを検出する。その後、ＵＥは、サービング基地局にタイミングドリフトを報告する。
【００７２】
[0088]図１４は、例示的な装置１４０２の異なるモジュール／手段／構成要素間のデータフローを示す概念データフロー図１４００である。本装置はＵＥであり得る。本装置は、受信モジュール１４０４と、サブフレームタイミング決定モジュール１４０６と、発見処理モジュール１４０８と、ドリフト検出モジュール１４１０と、送信モジュール１４１２とを含む。
【００７３】
[0089]受信モジュール１４０４は、サービング基地局１４５０と少なくとも１つの隣接基地局１４６０とから情報を受信する。情報は、直接発見を実行するための、サービング基地局１４５０と少なくとも１つの隣接基地局１４６０との各々によって割り振られた発見リソースの時間割振りを示し得る。基地局に対応する発見リソースは時間隣接し、重複せず、隣接基地局に対応する発見リソースの１つのサブフレーム内にあり得る。追加または代替として、基地局に対応する発見リソースの時間割振りは、隣接基地局に対応する発見リソースの時間割振りと同じであり得る。
【００７４】
[0090]サブフレームタイミング決定モジュール１４０６は、サービング基地局１４５０と少なくとも１つの隣接基地局１４６０とのサブフレームタイミングを決定する。サブフレームタイミングは、少なくとも１つの隣接基地局１４６０によってブロードキャストされたダウンリンク同期信号に基づいて決定され得る。一態様では、サブフレームタイミング決定モジュール１４０６は、少なくとも１つの隣接基地局１４６０のサブフレームタイミングを決定するとき、少なくとも１つの隣接基地局１４６０のダウンリンク周波数スペクトルに同調し得る。追加または代替として、サブフレームタイミングは、直接発見を実行する１つまたは複数のＵＥ（たとえば、ＵＥ１４７０）からの送信に基づいて決定され得、ここにおいて、１つまたは複数のＵＥは少なくとも１つの隣接基地局１４６０によってサービスされる。
【００７５】
[0091]発見処理モジュール１４０８は、発見リソースに対応するサービング基地局１４５０または隣接基地局１４６０の決定されたサブフレームタイミングに基づいて、サービング基地局１４５０と少なくとも１つの隣接基地局１４６０との各々によって割り振られた発見リソースの時間割振りを使用して直接発見を実行する。一態様では、発見処理モジュール１４０８は、少なくとも１つの隣接基地局１４６０によってサービスされる１つまたは複数のＵＥ（たとえば、ＵＥ１４７０）のための直接発見を実行するとき、少なくとも１つの隣接基地局１４６０のアップリンク周波数スペクトルに同調し得る。装置１４０２は、割り振られた発見リソースの各々の時間割振りに従って連続様式で割り振られた発見リソースの各々を使用して直接発見を実行するために１回起動し得る。追加または代替として、装置１４０２は、連続様式で同じ時間割振りを有する割り振られた発見リソースの各々を使用して直接発見を実行するために１回起動し得る。
【００７６】
[0092]ドリフト検出モジュール１４１０は、基地局に対応する発見リソースの時間割振りと、隣接基地局に対応する発見リソースの時間割振りとの間のタイミングドリフトを検出する。その後、ドリフト検出モジュール１４１０は、送信モジュール１４１２を介してサービング基地局１４５０にタイミングドリフトを報告する。
【００７７】
[0093]一態様では、サービング基地局１４５０に対応する発見リソースは、少なくとも１つの隣接基地局１４６０に対応する発見リソースと一致し得、少なくとも１つの隣接基地局１４６０に対応する発見リソースの１つのサブフレーム内にあり得る。ブランクサブフレームは発見リソースの時間割振りに先行および後続し得る。発見処理モジュール１４０８は、受信された情報によって示された発見リソースの時間割振りを、直接発見を実行する少なくとも１つの他のＵＥ（たとえば、ＵＥ１４７０）の発見リソースの時間割振りと同期させることによってコンセンサス発見タイミングを決定し得る。発見処理モジュール１４０８は、装置１４０２がＷＡＮリソースから発見リソースに遷移するとき、装置１４０２を、ＷＡＮ動作を実行するためのタイミングからコンセンサス発見タイミングに遷移させ得る。
【００７８】
[0094]発見処理モジュール１４０８は、コンセンサス発見タイミングに基づいて直接発見を実行し得る。装置１４０２は、サービング基地局１４５０と少なくとも１つの隣接基地局１４６０とに対応する発見リソースを使用して直接発見を実行するために、コンセンサス発見タイミングに従って１回起動し得る。一態様では、発見処理モジュール１４０８は、少なくとも１つの隣接基地局１４６０によってサービスされる少なくとも１つのＵＥ（たとえば、ＵＥ１４７０）のための直接発見を実行するとき、少なくとも１つの隣接基地局１４６０のアップリンク周波数スペクトルに同調し得る。さらなる態様では、サブフレームタイミング決定モジュール１４０６は、少なくとも１つの隣接基地局１４６０のサブフレームタイミングを決定するとき、少なくとも１つの隣接基地局１４６０のダウンリンク周波数スペクトルに同調し得る。
【００７９】
[0095]本装置は、図１１および図１３の上述のフローチャート中のアルゴリズムのステップの各々を実行する追加のモジュールを含み得る。したがって、図１１および図１３の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８０】
[0096]図１５は、例示的な装置１５０２の異なるモジュール／手段／構成要素間のデータフローを示す概念データフロー図１５００である。本装置は基地局またはｅノードＢ（ｅＮＢ）であり得る。装置１５０２は、受信モジュール１５０４と、ＷＡＮ処理モジュール１５０６と、発見処理モジュール１５０８と、ドリフト検出モジュール１５１０と、電力制御モジュール１５１２と、送信モジュール１５１４とを含む。
【００８１】
[0097]発見処理モジュール１５０８は、直接発見を実行する少なくとも１つのＵＥ（たとえば、ＵＥ１５７０）による使用のために発見リソースの時間割振りを予約する。基地局１５０２に対応する発見リソースは時間隣接し、重複せず、隣接基地局１５５０に対応する発見リソースの１つのサブフレーム内にあり得る。代替的に、基地局１５０２に対応する発見リソースは、少なくとも１つの隣接基地局１５５０に対応する発見リソースと一致し得、少なくとも１つの隣接基地局１５５０に対応する発見リソースの１つのサブフレーム内にあり得る。ブランクサブフレームは発見リソースの時間割振りに先行および後続し得る。一態様では、基地局１５０２に対応する発見リソースの時間割振りはまた、隣接基地局１５５０に対応する発見リソースの時間割振りと同じであり得る。
【００８２】
[0098]発見処理モジュール１５０８は、発見リソースの時間割振りを示す情報を、基地局１５０２によってサービスされる少なくとも１つのＵＥ（たとえば、ＵＥ１５７０）に（送信モジュール１５１４を介して）送る。情報は、直接発見を実行するための、少なくとも１つの隣接基地局１５５０によって割り振られた発見リソースの時間割振りをさらに示し得る。情報はまた、基地局１５０２のパブリックランドモバイルネットワーク（ＰＬＭＮ）とは異なるＰＬＭＮに属する少なくとも１つの隣接基地局１５５０によって使用される周波数スペクトルをさらに示し得る。
【００８３】
[0099]ドリフト検出モジュール１５１０は、基地局１５０２に対応する発見リソースの時間割振りと、隣接基地局１５５０に対応する発見リソースの時間割振りとの間のタイミングドリフトを検出し得る。タイミングドリフトは、ネットワークバックホールを介して隣接基地局１５５０からタイミング情報を受信すること、オーバージエア信号を介して隣接基地局１５５０から同期信号を受信すること、および／または基地局によってサービスされるＵＥ１５７０からタイミングドリフト報告を受信することによって検出され得る。発見処理モジュール１５０８は、検出されたタイミングドリフトに基づいて、基地局１５０２に対応する発見リソースの時間割振りを調整し得る。
【００８４】
[00100]ＷＡＮ処理モジュール１５０６は、少なくとも１つの隣接基地局１５５０によって割り振られた発見リソースと重複するリソース中でワイドエリアネットワーク（ＷＡＮ）動作を実行するＵＥをスケジュールすることを控え得る。代替的に、ＷＡＮ処理モジュール１５０６は、最初に、ＵＥが基地局１５０２に極めて近接しているかどうかを決定し得る。否定的結果に基づいて、ＷＡＮ処理モジュール１５０６は、ＵＥをスケジュールすることを控え得る。
【００８５】
[00101]ＵＥが基地局１５０２に極めて近接しているとき、ＷＡＮ処理モジュール１５０６は、少なくとも１つの隣接基地局１５５０によって割り振られた発見リソースと重複するリソース中でＷＡＮ動作を実行するＵＥをスケジュールし得る。電力制御モジュール１５１２は、直接発見を実行するＵＥからの干渉を補償するのに十分な電力で送信するために、スケジュールされたＵＥを電力制御し得る。
【００８６】
[00102]本装置は、図１２の上述のフローチャート中のアルゴリズムのステップの各々を実行する追加のモジュールを含み得る。したがって、図１２の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８７】
[00103]図１６は、処理システム１６１４を採用する装置１４０２’のためのハードウェア実装形態の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４によって表される１つまたは複数のプロセッサおよび／またはハードウェアモジュールと、モジュール１４０４、１４０６、１４０８、１４１０、１４１２と、コンピュータ可読媒体／メモリ１６０６とを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明しない。
【００８８】
[00104]処理システム１６１４はトランシーバ１６１０に結合され得る。トランシーバ１６１０は１つまたは複数のアンテナ１６２０に結合される。トランシーバ１６１０は、伝送媒体を介して様々な他の装置と通信するための手段を与える。トランシーバ１６１０は、１つまたは複数のアンテナ１６２０から信号を受信し、受信された信号から情報を抽出し、抽出された情報を処理システム１６１４、特に受信モジュール１４０４に与える。さらに、トランシーバ１６１０は、処理システム１６１４、特に送信モジュール１４１４から情報を受信し、受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６に記憶されたソフトウェアの実行を含む一般的な処理を担当する。ソフトウェアは、プロセッサ１６０４によって実行されたとき、処理システム１６１４に、特定の装置のための上記で説明された様々な機能を実行させる。コンピュータ可読媒体／メモリ１６０６はまた、ソフトウェアを実行するときにプロセッサ１６０４によって操作されるデータを記憶するために使用され得る。処理システムは、モジュール１４０４、１４０６、１４０８、１４１０、および１４１２のうちの少なくとも１つをさらに含む。それらのモジュールは、プロセッサ１６０４中で動作するか、コンピュータ可読媒体／メモリ１６０６中に常駐する／記憶されたソフトウェアモジュールであるか、プロセッサ１６０４に結合された１つまたは複数のハードウェアモジュールであるか、またはそれらの何らかの組合せであり得る。処理システム１６１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００８９】
[00105]一構成では、ワイヤレス通信のための装置１４０２／１４０２’は、サービング基地局と少なくとも１つの隣接基地局とから情報を受信するための手段ための手段、情報が、直接発見を実行するための、サービング基地局と少なくとも１つの隣接基地局との各々によって割り振られた発見リソースの時間割振りを示す、サービング基地局と少なくとも１つの隣接基地局とのサブフレームタイミングを決定するための手段、発見リソースに対応するサービング基地局または隣接基地局の決定されたサブフレームタイミングに基づいて、サービング基地局と少なくとも１つの隣接基地局との各々によって割り振られた発見リソースの時間割振りを使用して直接発見を実行するための手段、基地局に対応する発見リソースの時間割振りと、隣接基地局に対応する発見リソースの時間割振りとの間のタイミングドリフトを検出するための手段、サービング基地局にタイミングドリフトを報告するための手段、受信された情報によって示された発見リソースの時間割振りを、直接発見を実行する少なくとも１つの他のＵＥの発見リソースの時間割振りと同期させることによってコンセンサス発見タイミングを決定するための手段、コンセンサス発見タイミングに基づいて直接発見を実行するための手段、ワイドエリアネットワーク（ＷＡＮ）リソースから発見リソースに遷移するとき、ＷＡＮ動作を実行するためのタイミングからコンセンサス発見タイミングに遷移するための手段を含む。
【００９０】
[00106]上述の手段は、上述の手段によって具陳される機能を実行するように構成された、装置１４０２の上述のモジュールおよび／または装置１４０２’の処理システム１６１４のうちの１つまたは複数であり得る。上記で説明したように、処理システム１６１４は、ＴＸプロセッサ６６８と、ＲＸプロセッサ６５６と、コントローラ／プロセッサ６５９とを含み得る。したがって、一構成では、上述の手段は、上述の手段によって具陳される機能を実行するように構成された、ＴＸプロセッサ６６８と、ＲＸプロセッサ６５６と、コントローラ／プロセッサ６５９とであり得る。
【００９１】
[00107]図１７は、処理システム１７１４を採用する装置１５０２’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４によって表される１つまたは複数のプロセッサおよび／またはハードウェアモジュールと、モジュール１５０４、１５０６、１５０８、１５１０、１５１２、１５１４と、コンピュータ可読媒体／メモリ１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【００９２】
[00108]処理システム１７１４はトランシーバ１７１０に結合され得る。トランシーバ１７１０は１つまたは複数のアンテナ１７２０に結合される。トランシーバ１７１０は、伝送媒体を介して様々な他の装置と通信するための手段を与える。トランシーバ１７１０は、１つまたは複数のアンテナ１７２０から信号を受信し、受信された信号から情報を抽出し、抽出された情報を処理システム１７１４、特に受信モジュール１５０４に与える。さらに、トランシーバ１７１０は、処理システム１７１４、特に送信モジュール１５１４から情報を受信し、受信された情報に基づいて、１つまたは複数のアンテナ１７２０に適用されるべき信号を生成する。処理システム１７１４は、コンピュータ可読媒体／メモリ１７０６に結合されたプロセッサ１７０４を含む。プロセッサ１７０４は、コンピュータ可読媒体／メモリ１７０６に記憶されたソフトウェアの実行を含む一般的な処理を担当する。ソフトウェアは、プロセッサ１７０４によって実行されたとき、処理システム１７１４に、特定の装置のための上記で説明された様々な機能を実行させる。コンピュータ可読媒体／メモリ１７０６はまた、ソフトウェアを実行するときにプロセッサ１７０４によって操作されるデータを記憶するために使用され得る。処理システムは、モジュール１５０４、１５０６、１５０８、１５１０、１５１２、および１５１４のうちの少なくとも１つをさらに含む。それらのモジュールは、プロセッサ１７０４中で動作するか、コンピュータ可読媒体／メモリ１７０６中に常駐する／記憶されたソフトウェアモジュールであるか、プロセッサ１７０４に結合された１つまたは複数のハードウェアモジュールであるか、またはそれらの何らかの組合せであり得る。処理システム１７１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【００９３】
[00109]一構成では、ワイヤレス通信のための装置１５０２／１５０２’は、直接発見を実行するための発見リソースの時間割振りを予約するための手段、発見リソースの時間割振りを示す情報を、基地局によってサービスされる少なくとも１つのユーザ機器（ＵＥ）に送るための手段、ここにおいて、情報が、直接発見を実行するための、少なくとも１つの隣接基地局によって割り振られた発見リソースの時間割振りをさらに示す、基地局に対応する発見リソースの時間割振りと、隣接基地局に対応する発見リソースの時間割振りとの間のタイミングドリフトを検出するための手段、検出されたタイミングドリフトに基づいて、基地局に対応する発見リソースの時間割振りを調整するための手段、少なくとも１つの隣接基地局によって割り振られた発見リソースと重複するリソース中でワイドエリアネットワーク（ＷＡＮ）動作を実行するＵＥをスケジュールすることを控えるための手段、ＵＥが基地局に極めて近接しているとき、少なくとも１つの隣接基地局によって割り振られた発見リソースと重複するリソース中でワイドエリアネットワーク（ＷＡＮ）動作を実行するＵＥをスケジュールするための手段、直接発見を実行するＵＥからの干渉を補償するのに十分な電力で送信するために、スケジュールされたＵＥを電力制御するための手段を含む。
【００９４】
[00110]上述の手段は、上述の手段によって具陳される機能を実行するように構成された、装置１５０２の上述のモジュールおよび／または装置１５０２’の処理システム１７１４のうちの１つまたは複数であり得る。上記で説明したように、処理システム１７１４は、ＴＸプロセッサ６１６と、ＲＸプロセッサ６７０と、コントローラ／プロセッサ６７５とを含み得る。したがって、一構成では、上述の手段は、上述の手段によって具陳される機能を実行するように構成されたＴＸプロセッサ６１６と、ＲＸプロセッサ６７０と、コントローラ／プロセッサ６７５とであり得る。
【００９５】
[00111]開示したプロセスにおけるステップの特定の順序または階層は、例示的な手法の一例であることを理解されたい。設計上の選好に基づいて、プロセスにおけるステップの特定の順序または階層は並べ替えられ得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００９６】
[00112]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）におけるワイヤレス通信の方法であって、
サービング基地局と少なくとも１つの隣接基地局とから情報を受信することと、前記情報が、直接発見を実行するための、前記サービング基地局と前記少なくとも１つの隣接基地局との各々によって割り振られた発見リソースの時間割振りを示す、
基準タイミングを決定することと、
前記決定された基準タイミングに基づいて前記直接発見を実行することと
を備え、
ここにおいて、前記決定された基準タイミングまたは前記実行された直接発見のうちの少なくとも１つが前記受信された情報に基づく、方法。
［Ｃ２］
前記基準タイミングを前記決定することが、前記サービング基地局と前記少なくとも１つの隣接基地局とのサブフレームタイミングを決定することを備え、
前記直接発見を前記実行することが、前記発見リソースに対応する前記サービング基地局または隣接基地局の決定されたサブフレームタイミングに基づいて、前記サービング基地局と前記少なくとも１つの隣接基地局との各々によって割り振られた前記発見リソースの前記時間割振りを使用して前記直接発見を実行することを備える、Ｃ１に記載の方法。
［Ｃ３］
基地局に対応する前記発見リソースが時間隣接し、重複せず、隣接基地局に対応する前記発見リソースの１つのサブフレーム内にあり、
前記直接発見を前記実行することが、前記割り振られた発見リソースの各々の前記時間割振りに従って連続様式で前記割り振られた発見リソースの各々を使用して前記直接発見を実行するために１回起動することを備える、Ｃ２に記載の方法。
［Ｃ４］
基地局に対応する前記発見リソースの前記時間割振りが、隣接基地局に対応する前記発見リソースの前記時間割振りと同じであり、
前記直接発見を前記実行することが、連続様式で同じ時間割振りを有する前記割り振られた発見リソースの各々を使用して前記直接発見を実行するために１回起動することを備える、Ｃ２に記載の方法。
［Ｃ５］
基地局に対応する前記発見リソースの前記時間割振りと、隣接基地局に対応する前記発見リソースの前記時間割振りとの間のタイミングドリフトを検出することと、
前記サービング基地局に前記タイミングドリフトを報告することと
をさらに備える、Ｃ２に記載の方法。
［Ｃ６］
前記サブフレームタイミングは、
前記少なくとも１つの隣接基地局によってブロードキャストされたダウンリンク同期信号、または
直接発見を実行する少なくとも１つの他のＵＥからの送信、前記少なくとも１つの他のＵＥが前記少なくとも１つの隣接基地局によってサービスされる、のうちの少なくとも１つに基づいて決定される、Ｃ２に記載の方法。
［Ｃ７］
前記少なくとも１つの隣接基地局の前記サブフレームタイミングを決定するとき、前記少なくとも１つの隣接基地局のダウンリンク周波数スペクトルに同調することと、
前記少なくとも１つの隣接基地局によってサービスされる少なくとも１つの他のＵＥのための前記直接発見を実行するとき、前記少なくとも１つの隣接基地局のアップリンク周波数スペクトルに同調することと
をさらに備える、Ｃ２に記載の方法。
［Ｃ８］
前記基準タイミングを前記決定することが、前記受信された情報によって示された前記発見リソースの前記時間割振りを、直接発見を実行する少なくとも１つの他のＵＥの発見リソースの時間割振りと同期させることによってコンセンサス発見タイミングを決定することを備え、
前記直接発見を前記実行することが、前記コンセンサス発見タイミングに基づいて前記直接発見を実行することを備える、Ｃ１に記載の方法。
［Ｃ９］
ワイドエリアネットワーク（ＷＡＮ）リソースから前記発見リソースに遷移するとき、ＷＡＮ動作を実行するためのタイミングから前記コンセンサス発見タイミングに遷移することをさらに備える、Ｃ８に記載の方法。
［Ｃ１０］
前記サービング基地局に対応する前記発見リソースが、
少なくとも１つの隣接基地局に対応する発見リソースと一致し、
前記少なくとも１つの隣接基地局に対応する前記発見リソースの１つのサブフレーム内にあり、
ここにおいて、ブランクサブフレームが前記発見リソースの前記時間割振りに先行および後続し、
ここにおいて、前記直接発見を前記実行することが、前記サービング基地局と前記少なくとも１つの隣接基地局とに対応する前記発見リソースを使用して前記直接発見を実行するために、前記コンセンサス発見タイミングに従って１回起動することを備える、Ｃ８に記載の方法。
［Ｃ１１］
基地局に対応する前記発見リソースの前記時間割振りと、隣接基地局に対応する前記発見リソースの前記時間割振りとの間のタイミングドリフトを検出することと、
前記サービング基地局に前記タイミングドリフトを報告することと
をさらに備える、Ｃ８に記載の方法。
［Ｃ１２］
前記少なくとも１つの隣接基地局のサブフレームタイミングを決定するとき、前記少なくとも１つの隣接基地局のダウンリンク周波数スペクトルに同調することと、
前記少なくとも１つの隣接基地局によってサービスされる少なくとも１つのＵＥのための前記直接発見を実行するとき、前記少なくとも１つの隣接基地局のアップリンク周波数スペクトルに同調することと
をさらに備える、Ｃ８に記載の方法。
［Ｃ１３］
基地局におけるワイヤレス通信の方法であって、
直接発見を実行するための発見リソースの時間割振りを予約することと、
前記発見リソースの前記時間割振りを示す情報を、前記基地局によってサービスされる少なくとも１つのユーザ機器（ＵＥ）に送ることと
を備える、方法。
［Ｃ１４］
前記情報が、直接発見を実行するための、少なくとも１つの隣接基地局によって割り振られた発見リソースの前記時間割振りをさらに示す、Ｃ１３に記載の方法。
［Ｃ１５］
前記基地局に対応する前記発見リソースが時間隣接し、重複せず、隣接基地局に対応する前記発見リソースの１つのサブフレーム内にある、Ｃ１４に記載の方法。
［Ｃ１６］
前記基地局に対応する前記発見リソースの前記時間割振りが、隣接基地局に対応する前記発見リソースの前記時間割振りと同じである、Ｃ１４に記載の方法。
［Ｃ１７］
前記基地局に対応する前記発見リソースの前記時間割振りと、隣接基地局に対応する前記発見リソースの前記時間割振りとの間のタイミングドリフトを検出することと、
前記検出されたタイミングドリフトに基づいて、前記基地局に対応する前記発見リソースの前記時間割振りを調整することと
をさらに備え、
ここにおいて、前記タイミングドリフトが、
ネットワークバックホールを介して隣接基地局からタイミング情報を受信すること、
オーバージエア信号を介して前記隣接基地局から同期信号を受信すること、または
前記基地局によってサービスされるＵＥからタイミングドリフト報告を受信することのうちの少なくとも１つを介して検出される、Ｃ１４に記載の方法。
［Ｃ１８］
前記少なくとも１つの隣接基地局によって割り振られた前記発見リソースと重複するリソース中でワイドエリアネットワーク（ＷＡＮ）動作を実行するＵＥをスケジュールすることを控えることをさらに備える、Ｃ１４に記載の方法。
［Ｃ１９］
ＵＥが前記基地局に極めて近接しているとき、前記少なくとも１つの隣接基地局によって割り振られた前記発見リソースと重複するリソース中でワイドエリアネットワーク（ＷＡＮ）動作を実行する前記ＵＥをスケジュールすることと、
直接発見を実行するＵＥからの干渉を補償するのに十分な電力で送信するために、前記スケジュールされたＵＥを電力制御することと
をさらに備える、Ｃ１４に記載の方法。
［Ｃ２０］
前記情報が、前記基地局のパブリックランドモバイルネットワーク（ＰＬＭＮ）とは異なるＰＬＭＮに属する前記少なくとも１つの隣接基地局によって使用される周波数スペクトルをさらに示す、Ｃ１４に記載の方法。
［Ｃ２１］
前記基地局に対応する前記発見リソースが、
少なくとも１つの隣接基地局に対応する発見リソースと一致し、
前記少なくとも１つの隣接基地局に対応する前記発見リソースの１つのサブフレーム内にあり、
ここにおいて、ブランクサブフレームが前記発見リソースの前記時間割振りに先行および後続する、Ｃ１３に記載の方法。
［Ｃ２２］
前記基地局に対応する前記発見リソースの前記時間割振りと、隣接基地局に対応する発見リソースの時間割振りとの間のタイミングドリフトを検出することと、
前記検出されたタイミングドリフトに基づいて、前記基地局に対応する前記発見リソースの前記時間割振りを調整することと
をさらに備え、
ここにおいて、前記タイミングドリフトが、
ネットワークバックホールを介して隣接基地局からタイミング情報を受信すること、
オーバージエア信号を介して前記隣接基地局から同期信号を受信すること、または
前記基地局によってサービスされるＵＥからタイミングドリフト報告を受信することのうちの少なくとも１つを介して検出される、Ｃ２１に記載の方法。
［Ｃ２３］
前記情報が、前記基地局のパブリックランドモバイルネットワーク（ＰＬＭＮ）とは異なるＰＬＭＮに属する前記少なくとも１つの隣接基地局によって使用される周波数スペクトルをさらに示す、Ｃ２１に記載の方法。
［Ｃ２４］
ユーザ機器（ＵＥ）におけるワイヤレス通信のための装置であって、
サービング基地局と少なくとも１つの隣接基地局とから情報を受信するための手段と、前記情報が、直接発見を実行するための、前記サービング基地局と前記少なくとも１つの隣接基地局との各々によって割り振られた発見リソースの時間割振りを示す、
基準タイミングを決定するための手段と、
前記決定された基準タイミングに基づいて前記直接発見を実行するための手段と
を備え、
ここにおいて、前記決定された基準タイミングまたは前記実行された直接発見のうちの少なくとも１つが前記受信された情報に基づく、装置。
［Ｃ２５］
前記基準タイミングを決定するための前記手段が、前記サービング基地局と前記少なくとも１つの隣接基地局とのサブフレームタイミングを決定するように構成され、
前記直接発見を実行するための前記手段が、前記発見リソースに対応する前記サービング基地局または隣接基地局の決定されたサブフレームタイミングに基づいて、前記サービング基地局と前記少なくとも１つの隣接基地局との各々によって割り振られた前記発見リソースの前記時間割振りを使用して前記直接発見を実行するように構成された、Ｃ２４に記載の装置。
［Ｃ２６］
前記基準タイミングを決定するための前記手段が、前記受信された情報によって示された前記発見リソースの前記時間割振りを、直接発見を実行する少なくとも１つの他のＵＥの発見リソースの時間割振りと同期させることによってコンセンサス発見タイミングを決定するように構成され、
前記直接発見を実行するための前記手段が、前記コンセンサス発見タイミングに基づいて前記直接発見を実行するように構成された、Ｃ２４に記載の装置。
［Ｃ２７］
基地局におけるワイヤレス通信のための装置であって、
直接発見を実行するための発見リソースの時間割振りを予約するための手段と、
前記発見リソースの前記時間割振りを示す情報を、前記基地局によってサービスされる少なくとも１つのユーザ機器（ＵＥ）に送るための手段と
を備える、装置。
［Ｃ２８］
前記情報が、直接発見を実行するための、少なくとも１つの隣接基地局によって割り振られた発見リソースの前記時間割振りをさらに示す、Ｃ２７に記載の装置。
［Ｃ２９］
前記基地局に対応する前記発見リソースが、
少なくとも１つの隣接基地局に対応する発見リソースと一致し、
前記少なくとも１つの隣接基地局に対応する前記発見リソースの１つのサブフレーム内にあり、
ここにおいて、ブランクサブフレームが前記発見リソースの前記時間割振りに先行および後続する、Ｃ２７に記載の装置。
【図１】
0006441340.tif 000002
【図２】
0006441340.tif 000003
【図３】
0006441340.tif 000004
【図４】
0006441340.tif 000005
【図５】
0006441340.tif 000006
【図６】
0006441340.tif 000007
【図７】
0006441340.tif 000008
【図８】
0006441340.tif 000009
【図９】
0006441340.tif 000010
【図１０】
0006441340.tif 000011
【図１１】
0006441340.tif 000012
【図１２】
0006441340.tif 000013
【図１３】
0006441340.tif 000014
【図１４】
0006441340.tif 000015
【図１５】
0006441340.tif 000016
【図１６】
0006441340.tif 000017
【図１７】
0006441340.tif 000018